(57)【要約】【課題】編集メニューの数に関係なく、簡単な方法で編集メニューを切り換える。【解決手段】刺繍模様と当該刺繍模様の編集メニューとが画面上に表示され、刺繍模様の編集が可能な操作パネル５を備え、編集された刺繍模様に従って布地に刺繍を行う刺繍ミシン１において、操作パネル５の画面上における操作入力状況毎に画面上に表示させる編集メニューが対応付けられた編集メニューデータ６２ａ，３２ａを記憶する記憶手段６２，３２と、操作パネル５の画面上における操作入力状況を検出する操作入力状況検出手段５２と、検出された操作入力状況が記憶手段６２，３２に記憶されているか否かを判断する判断手段６と、操作入力状況が記憶手段６２，３２に記憶されていると判断された場合に、操作入力状況に対応する編集メニューを操作パネル５の画面上に表示させる表示制御手段６と、を備える。【選択図】図２
2007054110.tif 000002
【特許請求の範囲】
【請求項１】
布地に施される刺繍模様と当該刺繍模様の編集メニューとが画面上に表示されるとともに、前記編集メニューに従って前記画面上でユーザによる操作入力がなされる操作パネルを備え、前記操作パネルにより編集された刺繍模様に従って布地に刺繍を行う刺繍ミシンにおいて、
前記操作パネルの画面上における操作入力状況毎に画面上に表示させる編集メニューが対応付けられた編集メニューデータを記憶する記憶手段と、
前記操作パネルの画面上における操作入力状況を検出する操作入力状況検出手段と、
前記操作入力状況検出手段により検出された前記操作入力状況が前記記憶手段に記憶されているか否かを判断する判断手段と、
前記判断手段により、前記操作入力状況が前記記憶手段に記憶されていると判断された場合に、前記操作入力状況に対応する前記編集メニューを前記操作パネルの画面上に表示させる表示制御手段と、
を備えることを特徴とする刺繍ミシン。
【請求項２】
前記編集メニューデータは、前記操作パネルの画面上における複数の領域の各領域毎に、当該各領域で画面が押下されたときに画面上に表示させる前記編集メニューが対応付けられて構成され、
前記操作入力状況検出手段は、前記操作パネルの画面上の押下がなされた押下位置を検出する押下位置検出手段を有し、
前記判断手段は、前記押下位置検出手段により検出された前記押下位置が前記記憶手段に記憶されたいずれかの領域内であるか否かを判断する領域判断手段を有し、
前記表示制御手段は、前記領域判断手段により前記押下位置が前記記憶手段に記憶されたいずれかの領域内であると判断された場合に、前記押下位置が属する領域に対応する前記編集メニューを前記操作パネルの画面上に表示させることを特徴とする請求項１に記載の刺繍ミシン。
【請求項３】
前記領域は、前記画面上に表示された刺繍模様の形状特徴点から所定範囲内となるように設定されていることを特徴とする請求項２に記載の刺繍ミシン。
【請求項４】
前記編集メニューデータは、前記操作パネルの画面上の同位置における連続押下時間に応じて画面上に表示させる前記編集メニューが当該連続押下時間に対応付けられて構成され、
前記操作入力状況検出手段は、前記操作パネルの画面上の同位置の連続押下時間を検出する連続押下時間検出手段を有し、
前記判断手段は、前記連続押下時間検出手段により検出された前記連続押下時間が前記記憶手段に記憶された連続押下時間であるか否かを判断する時間判断手段を有し、
前記表示制御手段は、前記時間判断手段により、前記連続押下時間が前記記憶手段に記憶された連続押下時間であると判断された場合に、前記連続押下時間に対応する前記編集メニューを前記操作パネルの画面上に表示させることを特徴とする請求項１に記載の刺繍ミシン。
【発明の詳細な説明】
【技術分野】
【０００１】
本発明は、刺繍ミシンに関する。
【背景技術】
【０００２】
予め設定された縫い目データを用い、縫い目をＸ−Ｙ方向に自在に形成して刺繍縫いを行う刺繍ミシンがある。刺繍縫いにより布地に形成される刺繍模様は、刺繍ミシン本体の表面に設けられた操作パネルをユーザが操作入力することにより、移動、回転、サイズ変更、反転等の編集ができるようになっている（例えば、特許文献１，２，３参照。）。
具体的には、図９に示すように、操作パネル１００の画面上には、編集前の刺繍模様１０１と、編集メニュー（移動、回転、サイズ変更、反転）の各アイコン１０２，１０３，１０４，１０５が表示されている。
そして、ユーザが移動アイコン１０２を画面上で押下することにより、図９（ａ）に示すように、操作パネル１００の画面上には移動編集に関する表示がなされる。また、ユーザが回転アイコン１０３を画面上で押下することにより、図９（ｂ）に示すように、操作パネル１００の画面上には回転編集に関する表示がなされる。また、ユーザがサイズアイコン１０４を画面上で押下することにより、図９（ｃ）に示すように、操作パネル１００の画面上にはサイズ変更編集に関する表示がなされる。また、ユーザが反転アイコン１０５を画面上で押下することにより、図９（ｄ）に示すように、操作パネル１００の画面上には反転編集に関する表示がなされる。
【０００３】
また、いずれの編集を行う場合においても、編集表示の下方には、他の編集メニューに切り換える切換アイコン１１２，１１３，１１４，１１５と初期画面に戻るための戻りアイコン１１６が表示される。ここで、通常、切換アイコン１１２〜１１５か戻りアイコン１１６のいずれかが画面に表示されるようになっている。
すなわち、編集メニューを切り換える際には、切換アイコン１１２〜１１５を押下して他の編集メニューに切り換えるか、戻りアイコン１１６を押下して、一旦編集メニューの一覧表示の画面（図９における左側の画面）にした後、他の編集メニューのアイコン１０２〜１０５を押下して切り換える。
【特許文献１】特開平６−３４３７７８号公報
【特許文献２】特開平９−１０４５２号公報
【特許文献３】特開平９−１０４５４号公報
【発明の開示】
【発明が解決しようとする課題】
【０００４】
しかし、編集メニューの切り換えに切換アイコンを用いる場合には、編集メニューの数だけ切換アイコンを表示させる必要があるため、編集メニューが増えるにつれて画面上の領域が占められてしまい、編集に用いることができる領域が狭くなったり、画面上のスペースの都合によっては全ての切換アイコンを画面上に表示できないという問題があった。
また、編集メニューの切り換えに戻りアイコンを用いる場合には、編集メニューの切り換えだけのために画面の表示を切り換えなければならず、各アイコンを押下したときの表示の階層構造をユーザが記憶していなければならないという問題があった。
【０００５】
そこで、本発明は、上記課題を解決するためになされたものであり、編集メニューの数に関係なく、簡単な方法で編集メニューを切り換えることができる刺繍ミシンを提供することを目的とする。
【課題を解決するための手段】
【０００６】
以上の課題を解決するため、請求項１に記載の発明は、布地に施される刺繍模様と当該刺繍模様の編集メニューとが画面上に表示されるとともに、前記編集メニューに従って前記画面上でユーザによる操作入力がなされる操作パネルを備え、前記操作パネルにより編集された刺繍模様に従って布地に刺繍を行う刺繍ミシンにおいて、前記操作パネルの画面上における操作入力状況毎に画面上に表示させる編集メニューが対応付けられた編集メニューデータを記憶する記憶手段と、前記操作パネルの画面上における操作入力状況を検出する操作入力状況検出手段と、前記操作入力状況検出手段により検出された前記操作入力状況が前記記憶手段に記憶されているか否かを判断する判断手段と、前記判断手段により、前記操作入力状況が前記記憶手段に記憶されていると判断された場合に、前記操作入力状況に対応する前記編集メニューを前記操作パネルの画面上に表示させる表示制御手段と、を備えることを特徴とする。
【０００７】
請求項１に記載の発明によれば、操作パネルの画面上には、布地に施される刺繍模様と刺繍模様の編集メニューとが表示され、ユーザにより編集メニューに従って画面上で操作入力がなされると、操作入力検出手段が操作パネルの画面上における操作入力状況を検出する。そして、判断手段は、操作入力状況検出手段により検出された操作入力状況が記憶手段に記憶されているか否かを判断する。次いで、表示制御手段は、判断手段により操作入力状況が記憶手段に記憶されていると判断された場合に、操作入力状況に対応する編集メニューを操作パネルの画面上に表示させる。
これにより、記憶手段に記憶された操作入力状況と編集メニューとの対応関係に基づいて、操作入力状況に対応する編集メニューが表示されるので、編集メニューが増えても操作入力検出手段により操作入力状況さえ検出すれば編集メニューを切り換えることができるので、編集メニューの数に関係なく、簡単な方法で編集メニューを切り換えることができる。
【０００８】
請求項２に記載の発明は、請求項１に記載の刺繍ミシンにおいて、前記記憶手段は、前記操作パネルの画面上における複数の領域の各領域毎に、当該各領域で画面を押下されたときに画面上に表示させる前記編集メニューが対応付けられた編集メニューデータを記憶し、前記操作入力状況検出手段は、前記操作パネルの画面上の押下がなされた押下位置を検出する押下位置検出手段を有し、前記判断手段は、前記押下位置検出手段により検出された前記押下位置が前記記憶手段に記憶されたいずれかの領域内であるか否かを判断する領域判断手段を有し、前記表示制御手段は、前記領域判断手段により前記押下位置が前記記憶手段に記憶されたいずれかの領域内であると判断された場合に、前記押下位置が属する領域に対応する前記編集メニューを前記操作パネルの画面上に表示させることを特徴とする。
【０００９】
請求項２に記載の発明によれば、操作パネルの画面上の押下がなされると、押下位置検出手段は、操作パネルの画面上の押下がなされた押下位置を検出する。次いで、領域判断手段は、押下位置検出手段により検出された押下位置が記憶手段に記憶されたいずれかの領域内であるか否かを判断する。そして、表示制御手段は、領域判断手段により押下位置が記憶手段に記憶された編集メニューデータにおけるいずれかの領域内であると判断された場合に、押下位置が属する領域に対応する編集メニューを操作パネルの画面上に表示させる。
これにより、編集メニューが増えても、編集メニューを切り換えるアイコンを操作パネルの画面上に表示する必要がない。また、編集メニューの切り換えだけのために複数回の操作を行って画面の表示を切り換える必要がなく、そのために画面を押下したときの表示の階層構造をユーザが記憶する必要がなくなる。
よって、編集メニューの数に関係なく、簡単な方法で編集メニューを切り換えることができる。
【００１０】
請求項３に記載の発明は、請求項２に記載の刺繍ミシンにおいて、前記領域は、前記画面上に表示された刺繍模様の形状特徴点から所定範囲内となるように設定されていることを特徴とする。
ここで、形状特徴点とは、刺繍模様におけるユーザの目印となる点をいい、刺繍模様の頂部や中央部、折曲部等である。
【００１１】
請求項３に記載の発明によれば、領域を刺繍模様の形状特徴点から所定範囲内となるように設定することにより、ユーザが画面上を押下する際に刺繍模様を目印とすることができるので、ユーザによる操作パネルの操作性を向上させることができる。
【００１２】
請求項４に記載の発明は、請求項１に記載の刺繍ミシンにおいて、前記編集メニューデータは、前記操作パネルの画面上の同位置における連続押下時間に応じて画面上に表示させる前記編集メニューが当該連続押下時間に対応付けられて構成され、前記操作入力状況検出手段は、前記操作パネルの画面上の同位置の連続押下時間を検出する連続押下時間検出手段を有し、前記判断手段は、前記連続押下時間検出手段により検出された前記連続押下時間が前記記憶手段に記憶された連続押下時間であるか否かを判断する時間判断手段を有し、前記表示制御手段は、前記時間判断手段により、前記連続押下時間が前記記憶手段に記憶された連続押下時間であると判断された場合に、前記連続押下時間に対応する前記編集メニューを前記操作パネルの画面上に表示させることを特徴とする。
【００１３】
請求項４に記載の発明によれば、操作パネルの画面上の押下がなされると、連続押下時間検出手段は、操作パネルの画面上の同位置の連続押下時間を検出する。次いで、時間判断手段は、連続押下時間検出手段により検出された連続押下時間が記憶手段に記憶された連続押下時間であるか否かを判断する。そして、表示制御手段は、時間判断手段により、連続押下時間が記憶手段に記憶された編集メニューデータにおける連続押下時間であると判断された場合に、連続押下時間に対応する編集メニューを操作パネルの画面上に表示させる。
これにより、編集メニューが増えても、編集メニューを切り換えるアイコンを操作パネルの画面上に表示する必要がない。また、編集メニューの切り換えだけのために複数回の操作を行って画面の表示を切り換える必要がなく、そのために画面を押下したときの表示の階層構造をユーザが記憶する必要がなくなる。また、請求項２に記載の発明のように、画面上の領域を設定する必要もなくなり、ユーザも画面上の押下位置と編集メニューとの関係を記憶しておく必要がない。
よって、編集メニューの数に関係なく、簡単な方法で編集メニューを切り換えることができる。
【発明の効果】
【００１４】
請求項１に記載の発明によれば、記憶手段に記憶された操作入力状況と編集メニューとの対応関係に基づいて、操作入力状況に対応する編集メニューが表示されるので、編集メニューが増えても操作入力検出手段により操作入力状況さえ検出すれば編集メニューを切り換えることができるので、編集メニューの数に関係なく、簡単な方法で編集メニューを切り換えることができる。
【００１５】
請求項２に記載の発明によれば、編集メニューが増えても、編集メニューを切り換えるアイコンを操作パネルの画面上に表示する必要がない。また、編集メニューの切り換えだけのために複数回の操作を行って画面の表示を切り換える必要がなく、そのために画面を押下したときの表示の階層構造をユーザが記憶する必要がなくなる。
よって、編集メニューの数に関係なく、簡単な方法で編集メニューを切り換えることができる。
【００１６】
請求項３に記載の発明によれば、領域を刺繍模様の形状特徴点から所定範囲内となるように設定することにより、ユーザが画面上を押下する際に刺繍模様を目印とすることができるので、ユーザによる操作パネルの操作性を向上させることができる。
【００１７】
請求項４に記載の発明によれば、編集メニューが増えても、編集メニューを切り換えるアイコンを操作パネルの画面上に表示する必要がない。また、編集メニューの切り換えだけのために複数回の操作を行って画面の表示を切り換える必要がなく、そのために画面を押下したときの表示の階層構造をユーザが記憶する必要がなくなる。また、請求項２に記載の発明のように、画面上の領域を設定する必要もなくなり、ユーザも画面上の押下位置と編集メニューとの関係を記憶しておく必要がない。
よって、編集メニューの数に関係なく、簡単な方法で編集メニューを切り換えることができる。
【発明を実施するための最良の形態】
【００１８】
以下、図面を参照して、本発明に係る刺繍ミシンの最良の形態について詳細に説明する。
（実施形態１）
＜刺繍ミシンの構成＞
図１，２に示すように、刺繍ミシン１は、下部に位置するミシンベッド１１と、ミシンベッド１１の一端部から上方に立ち上げられたミシン胴部１２と、ミシン胴部１２の上方からミシンベッド１１に沿うように延設されたミシンアーム１３と、を備えている。
また、刺繍ミシン１は、ミシンアーム１３のミシン頭部１３ａ（図１における左端部）の下方において上下動可能に支持された縫い針１４と、ミシンアーム１３のミシン頭部１３ａの下部に設けられ，縫い針１４を支持すると共に上下方向に駆動する針駆動機構１５と、縫い針１４と共に針駆動機構１５に支持され，刺繍縫製時に縫い針１４と共に上下動する布押さえ１６と、縫い針１４の下方に設置され，縫い針１４に対して布地を垂直な平面に沿って張設状態で保持する刺繍枠１７と、ミシンベッド１１の縫い針対向位置に設けられ，刺繍枠１７をいずれも縫い針１４に垂直且つ相互に垂直な二方向に駆動する枠移動機構１８と、刺繍ミシン１の動作に関する指示や設定をユーザが入力すると共に指示に必要な情報や現在状態の表示を行う操作パネル５と、各部の動作制御を行う制御装置６（図２参照）とを備えている。
【００１９】
また、図１に示されるミシンアーム１３の左端のミシン頭部１３ａには、縫製を起動・停止するための起動／停止スイッチ(以下、Ｓ／Ｓスイッチと略称する)２０と、返し縫いを行うための指示入力を行うための返し縫いスイッチ２１と、縫製後の糸切りを指示入力するための糸切りスイッチ２２と、縫製の速度を調整するためのスライドボリューム２３とが、下方から順番に並んで設けられている。
【００２０】
なお、以下の説明において、縫い針１４が上下動を行う方向をＺ軸方向とし、刺繍枠１７が枠移動機構１８により図１における左右方向に移動される方向（相互に垂直な二方向の内の一方）をＸ軸方向とし、刺繍枠１７が枠移動機構１８により図１における前後方向に移動される方向をＹ軸方向（相互に垂直な二方向の内の他方）として、以下の説明を行うこととする。
【００２１】
（針駆動機構）
針駆動機構１５は、ミシンモータ２４を駆動源とし、その回転出力をクランク機構を介して上下動に変換し、縫い針１４の上下動を行っている。また、針駆動機構１５は、縫い針１４と共に布押さえ１６を支持しており、縫い針１４と共に上下動させる。また、縫い針１４の上下動の周期は、制御装置６の動作制御により決定され、操作パネル５から上下動周期の設定変更を入力することが可能である。
【００２２】
（刺繍枠及び枠移動機構）
刺繍枠１７は、いずれも略長方形状を成す内枠と外枠とからなり、これらに布地を挟み込むことでその枠の内側に布地の略長方形状の平面領域を形成する。また、刺繍枠は、大中小の三サイズのものが選択的に装着可能であり、図示の刺繍枠１７は最大サイズのものである。また、以下の説明にあっては特に言及しない場合には最大サイズの刺繍枠１７を使用した場合について行っているものとする。
【００２３】
枠移動機構１８は、ミシンベッド１１の上面においてＸ軸方向に往復可能に支持されたキャリッジ２５と、その駆動を行うＸ軸モータ２６（図２参照）と、キャリッジ２５にＹ軸方向に往復可能に支持された刺繍枠装着部２７と、刺繍枠装着部２７を介して刺繍枠１７をＹ軸方向に往復駆動するＹ軸モータ２８（図２参照）とを備えている。Ｘ軸モータ２６とＹ軸モータ２８はいずれもステッピングモータであり、微小角度単位で駆動する回転角度量を制御することが可能である。そして、枠移動機構１８は、Ｘ軸モータ２６及びＹ軸モータ２８の回転駆動出力を直動方向の駆動出力に変換することができる。従って、枠移動機構１８は、キャリッジ２５の移動と刺繍枠装着部２７の移動との協働により刺繍枠１７をＸ−Ｙ平面上に沿って自在に移動することを可能としている。また、枠移動機構１８は、制御装置６から出力される刺繍模様に応じた針落ち位置に基づくＸ軸方向及びＹ軸方向の各移動量を示す動作指令に従って各軸モータ２６，２８の駆動制御を行うことにより刺繍枠１７を各軸方向に移動させて相対的に所定の針落ち位置に縫い針１４を位置決めする。
【００２４】
（操作パネル）
操作パネル５は、刺繍作業を行う際の操作画面，操作説明に要する情報表示，刺繍模様画像，分割模様等の表示を行う液晶ディスプレイ５１と、液晶ディスプレイ５１の表示面上に重ねて設けられた透明感圧スイッチであるタッチパネル５２とを備えている。タッチパネル５２は、その表面上におけるいずれの位置にミシンのユーザが指先を接触させたかを感知することが可能である。一方、液晶ディスプレイ５１は制御装置６に記憶された所定のプログラムに従い操作画面中にミシンのユーザが入力を指示するための各種のスイッチ（アイコン）を表示する。従って、制御装置６はタッチパネル５２の出力を受けていずれの位置に接触されたかを認識すると共にその際に液晶ディスプレイ５１に表示されたいずれかのスイッチに対する操作入力であるかを照合し、その結果、ユーザがいずれの操作入力を行っているかを認識すると共に、その操作入力状況を検出してその後の処理を進行させる操作入力状況検出手段として機能する。
【００２５】
（制御装置）
制御装置６は、刺繍模様の編集に関する処理プログラムに従って各処理を実行するＣＰＵ６１と、各処理を実行するための処理プログラムや処理データ等が記憶されるＲＯＭ６２と、ＲＯＭ６２に記憶されたプログラムに基づいて各処理を行うＲＡＭ６３と、を備えている。
ＲＯＭ６２には、操作パネル５の液晶ディスプレイ５１における操作入力状況毎に液晶ディスプレイ５１に表示させる編集メニューが対応付けられた編集メニューデータ６２ａが記憶されている。すなわち、ＲＯＭ６２は、記憶手段として機能する。ここで、操作入力状況とは、操作パネル５の液晶ディスプレイ５１におけるユーザのタッチパネル５２の押下位置であり、すなわち、編集メニューデータ６２ａは、液晶ディスプレイ５１の位置と、その位置が押下されたときに液晶ディスプレイ５１に表示させる編集メニューとが対応付けられて構成されている。液晶ディスプレイ５１は、一定の領域毎に複数の領域が設定されており、押下される領域毎に異なる編集メニューを表示させることができるようになっている。
【００２６】
具体的には、図３に示すように、液晶ディスプレイ５１に刺繍模様Ｐが表示されている場合、この刺繍模様Ｐの右下頂部から一定の距離にある領域Ａ１（点線で図示）を押下した場合には、刺繍模様Ｐの「移動」に関する編集メニューＭ１を液晶ディスプレイ５１に表示させる（図３（ａ）に示す）。また、刺繍模様Ｐの左下頂部から一定の距離にある領域Ａ２（点線で図示）を押下した場合には、刺繍模様Ｐの「回転」に関する編集メニューＭ２を液晶ディスプレイ５１に表示させる（図３（ｂ）に示す）。また、刺繍模様Ｐの左上頂部から一定の距離にある領域Ａ３（点線で図示）を押下した場合には、刺繍模様Ｐの「サイズ」に関する編集メニューＭ３を液晶ディスプレイ５１に表示させる（図３（ｃ）に示す）。また、刺繍模様Ｐの右上頂部から一定の距離にある領域Ａ４（点線で図示）を押下した場合には、刺繍模様Ｐの「反転」に関する編集メニューＭ４を液晶ディスプレイ５１に表示させる（図３（ｄ）に示す）。
【００２７】
また、ＲＯＭ６２には、操作パネル５のタッチパネル５２において押下がなされた押下位置を検出する機能を実現させる押下位置検出プログラム６２ｂが記憶されている。すなわち、ＣＰＵ６１が押下位置検出プログラム６２ｂを実行することにより、制御装置６は、押下位置検出手段（操作入力状況検出手段）として機能する。
また、ＲＯＭ６２には、押下位置検出プログラム６２ｂにより検出された押下位置がＲＯＭ６２内の編集メニューデータ６２ａに記憶されているか否かを判断する機能を実現させる領域判断プログラム６２ｃが記憶されている。すなわち、ＣＰＵ６１が領域判断プログラム６２ｃを実行することにより、制御装置６は、領域判断手段（判断手段）として機能する。
また、ＲＯＭ６２には、領域判断プログラム６２ｃにより押下位置がＲＯＭ６２内の編集メニューデータ６２ａに記憶されていると判断された場合に、押下位置に対応する編集メニューＭ１〜Ｍ４を操作パネル５の液晶ディスプレイ５１に表示させる機能を実現させる表示制御プログラム６２ｄが記憶されている。すなわち、ＣＰＵ６１が表示制御プログラム６２ｄを実行することにより、制御装置６は、表示制御手段として機能する。
【００２８】
＜刺繍模様の編集処理＞
次に、刺繍ミシン１を用いた刺繍模様Ｐの編集処理について説明する。
図４に示すように、最初に、制御装置６のＣＰＵ６１は、押下位置検出プログラム６２ｂを実行することにより、タッチパネル５２の押下された位置を検出する（ステップＳ１）。次いで、ＣＰＵ６１は、領域判断プログラム６２ｃを実行することにより、検出された押下位置が編集メニューデータ６２ａに記憶された複数の領域のうち、どの領域内に含まれているか否かを判断する（ステップＳ２）。
ここで、ＣＰＵ６１が、検出された押下位置が含まれる領域が編集メニューデータ６２ａに記憶されていると判断した場合（ステップＳ２：ＹＥＳ）、ＣＰＵ６１は、その領域に対応する編集メニューに関するデータを読み込む（ステップＳ３）。次いで、ＣＰＵ６１は、表示制御プログラム６２ｄを実行することにより、読み込んだ編集メニューに関するデータを液晶ディスプレイ５１に表示させる（ステップＳ４）。
一方、ＣＰＵ６１が、検出された押下位置が含まれる領域が編集メニューデータ６２ａに記憶されていないと判断した場合（ステップＳ２：ＮＯ）、ＣＰＵ６１は、タッチパネル５２の押下が編集メニューの切り換えではないと判断し、現状の編集メニューの操作入力が維持される（ステップＳ５）。
【００２９】
＜作用効果＞
実施形態１によれば、操作パネル５のタッチパネル５２の押下がなされると、ＣＰＵ６１は押下位置検出プログラム６２ｂを実行することにより、タッチパネル５２の押下がなされた押下位置を検出する。次いで、ＣＰＵ６１は、領域判断プログラム６２ｃを実行することにより、検出された押下位置がＲＯＭ６２に記憶された編集メニューデータ６２ａのいずれかの領域内であるか否かを判断する。そして、ＣＰＵ６１は表示制御プログラム６２ｄを実行することにより、押下位置が編集メニューデータ６２ａにおけるいずれかの領域内であると判断された場合に、押下位置が属する領域に対応する編集メニューを液晶ディスプレイ５１上に表示させる。
これにより、編集メニューが増えても、編集メニューを切り換えるアイコンを操作パネル５の液晶ディスプレイ５１に表示する必要がない。また、編集メニューの切り換えだけのために複数回の操作を行って画面の表示を切り換える必要がなく、そのために画面を押下したときの表示の階層構造をユーザが記憶する必要がなくなる。
よって、編集メニューの数に関係なく、簡単な方法で編集メニューを切り換えることができる。
【００３０】
また、領域を刺繍模様Ｐの形状特徴点である各頂部（右下、左下、左上、右上）から所定範囲内となるように設定することにより、ユーザがタッチパネル５２を押下する際に刺繍模様Ｐを目印とすることができるので、編集メニュー切り換えの際におけるタッチパネル５２の操作性を向上させることができる。
【００３１】
（実施形態２）
次に、本発明の刺繍ミシンの実施形態２について説明する。実施形態２が実施形態１と異なる点は、タッチパネル５２が押下されたときの編集メニューの切り換え処理であるため、異なる部分について説明し、実施形態１と共通する部分は同一符号を付して説明を省略する。
（制御装置）
図５に示すように、刺繍ミシン２における制御装置３は、刺繍模様Ｐの編集に関する処理プログラムに従って各処理を実行するＣＰＵ３１と、各処理を実行するための処理プログラムや処理データ等が記憶されるＲＯＭ３２と、ＲＯＭ３２に記憶されたプログラムに基づいて各処理を行うＲＡＭ３３と、を備えている。
ＲＯＭ３２には、操作パネル５のタッチパネル５２における操作入力状況毎に液晶ディスプレイ５１に表示させる編集メニューが対応付けられた編集メニューデータ３２ａが記憶されている。すなわち、ＲＯＭ３２は、記憶手段として機能する。ここで、操作入力状況とは、操作パネル５のタッチパネル５２におけるユーザの同位置の連続押下時間であり、すなわち、編集メニューデータ３２ａは、液晶ディスプレイ５１の同位置における連続押下時間と、その連続押下時間に応じて液晶ディスプレイ５１に表示させる編集メニューとが対応付けられて構成されている。なお、編集メニューデータ３２ａに記憶される連続押下時間は、所定の時間区間毎に対応する編集メニューを記憶しており、検出された連続押下時間がどの区間に属するかを判断することで、表示させる編集メニューが決定される。
【００３２】
具体的には、図６に示すように、液晶ディスプレイ５１に刺繍模様Ｐが表示されている場合、ある一点を連続してｔ０の時間が経過するまで押下した場合には、刺繍模様Ｐの「移動」に関する編集メニューＭ１を液晶ディスプレイ５１に表示させる（図６（ａ）に示す）。ｔ０の時間経過後、さらに同位置を連続してｔ１の時間が経過するまで押下した場合には、刺繍模様Ｐの「回転」に関する編集メニューＭ２を液晶ディスプレイ５１に表示させる（図６（ｂ）に示す）。ｔ１の時間経過後、さらに同位置を連続してｔ２の時間が経過するまで押下した場合には、刺繍模様Ｐの「サイズ」に関する編集メニューＭ３を液晶ディスプレイ５１に表示させる（図６（ｃ）に示す）。ｔ２の時間経過後、さらに同位置を連続してｔ３の時間が経過するまで押下した場合には、刺繍模様Ｐの「反転」に関する編集メニューＭ４を液晶ディスプレイ５１に表示させる（図６（ｄ）に示す）。
【００３３】
また、ＲＯＭ３２には、操作パネル５のタッチパネル５２の同位置において押下がなされた連続押下時間を検出する機能を実現させる連続押下時間検出プログラム３２ｂが記憶されている。すなわち、ＣＰＵ３１が連続押下時間検出プログラム３２ｂを実行することにより、制御装置３は、連続押下時間検出手段（操作入力状況検出手段）として機能する。
また、ＲＯＭ３２には、連続押下時間検出プログラム３２ｂにより検出された連続押下時間がＲＯＭ３２内の編集メニューデータ３２ａに記憶されているか否かを判断する機能を実現させる時間判断プログラム３２ｃが記憶されている。すなわち、ＣＰＵ３１が時間判断プログラム３２ｃを実行することにより、制御装置３は、時間判断手段（判断手段）として機能する。
また、ＲＯＭ３２には、時間判断プログラム３２ｃにより連続押下時間がＲＯＭ３２内の編集メニューデータ３２ａに記憶されていると判断された場合に、連続押下時間に対応する編集メニューＭ１〜Ｍ４を操作パネル５の液晶ディスプレイ５１に表示させる機能を実現させる表示制御プログラム３２ｄが記憶されている。すなわち、ＣＰＵ３１が表示制御プログラム３２ｄを実行することにより、制御装置３は、表示制御手段として機能する。
【００３４】
＜刺繍模様の編集処理＞
次に、刺繍模様Ｐの編集処理について説明する。
図７に示すように、最初に、制御装置３のＣＰＵ３１は、連続押下時間検出プログラム３２ｂを実行することにより、タッチパネル５２の同位置で連続して押下された時間を検出する（ステップＳ１１）。次いで、ＣＰＵ３１は、時間判断プログラム３２ｃを実行することにより、検出された連続押下時間が編集メニューデータ３２ａに記憶された複数の連続押下時間の区間のうち、どの区間内に含まれているか否かを判断する（ステップＳ１２）。
ここで、ＣＰＵ３１が、検出された連続押下時間が含まれる区間が編集メニューデータ３２ａに記憶されていると判断した場合（ステップＳ１２：ＹＥＳ）、ＣＰＵ３１は、その区間に対応する編集メニューに関するデータを読み込む（ステップＳ１３）。次いで、ＣＰＵ３１は、表示制御プログラム３２ｄを実行することにより、読み込んだ編集メニューに関するデータを液晶ディスプレイ５１に表示させる（ステップＳ１４）。
一方、ＣＰＵ３１が、検出された連続押下時間が含まれる区間が編集メニューデータ３２ａに記憶されていないと判断した場合（ステップＳ１２：ＮＯ）、ＣＰＵ３１は、タッチパネル５２の押下が編集メニューの切り換えではないと判断し、現状の編集メニューの操作入力が維持される（ステップＳ１５）。
【００３５】
＜作用効果＞
実施形態２によれば、操作パネル５のタッチパネル５２の押下がなされると、ＣＰＵ３１が連続押下時間検出プログラム３２ｂを実行することにより、タッチパネル５２の同位置における連続押下時間を検出する。次いで、ＣＰＵ３１は時間判断プログラム３２ｃを実行することにより、検出された連続押下時間が編集メニューデータ３２ａに記憶されたいずれかの連続押下時間であるか否かを判断する。そして、ＣＰＵ３１が表示制御プログラム３２ｄを実行することにより、連続押下時間がＲＯＭ３２に記憶された編集メニューデータ３２ａにおけるいずれかの区間であると判断された場合に、その区間に対応する編集メニューを液晶ディスプレイ５１に表示させる。
これにより、編集メニューが増えても、編集メニューを切り換えるアイコンを液晶ディスプレイ５１に表示する必要がない。また、編集メニューの切り換えだけのために複数回の操作を行って画面の表示を切り換える必要がなく、そのためにタッチパネル５２を押下したときの表示の階層構造をユーザが記憶する必要がなくなる。また、実施形態１のように、タッチパネル５２の押下領域を設定する必要もなくなり、ユーザも液晶ディスプレイ５１の押下位置と編集メニューとの関係を記憶しておく必要がない。
よって、編集メニューの数に関係なく、簡単な方法で編集メニューを切り換えることができる。
【００３６】
＜その他＞
なお、本発明は上記実施形態に限られるものではない。例えば、図８に示すように、編集メニューを切り換える領域Ａ１１〜Ａ１４を刺繍模様Ｐの形状特徴点ではなく、液晶ディスプレイ５１の四隅に設定してもよい。これにより、刺繍模様の変化により押下位置が変化することがなくなるので、多種多様な刺繍模様に対しても対応可能となる。また、押下位置や連続押下時間と切り換えるべき編集メニューの関係は上記実施形態に限られるものではなく、自由に変更可能である。また、編集メニューを切り換えるパラメータとして押下位置や連続押下時間を検出したが、これらに限られるものではなく、自由に設定、変更可能である。また、上記実施形態においては、タッチパネル５２からの操作入力により回転編集を行っているが、液晶ディスプレイ５１を見ながらマウス等を用いて操作入力するように構成してもよい。
【図面の簡単な説明】
【００３７】
【図１】刺繍ミシンの概略を示す正面図である。
【図２】実施形態１における刺繍ミシンの構成を示すブロック図である。
【図３】実施形態１における編集メニューの切り換え処理を説明する図である。
【図４】実施形態１における編集メニューの切り換え処理を示すフローチャートである。
【図５】実施形態２における刺繍ミシンの構成を示すブロック図である。
【図６】実施形態２における編集メニューの切り換え処理を説明する図である。
【図７】実施形態２における編集メニューの切り換え処理を示すフローチャートである。
【図８】編集メニューを切り換える領域を変更した例を示す図である。
【図９】従来の刺繍模様の編集メニューの切り換え処理を説明する図である。
【符号の説明】
【００３８】
１  刺繍ミシン
３  制御装置（操作入力状況検出手段、連続押下時間検出手段、判断手段、時間判断手段、表示制御手段）
３２  ＲＯＭ（記憶手段）
３２ａ  編集メニューデータ
５    操作パネル
６  制御装置（操作入力状況検出手段、押下位置検出手段、判断手段、領域判断手段、表示制御手段）
６２  ＲＯＭ（記憶手段）
６２ａ  編集メニューデータ
【図１】
2007054110.tif 000003
【図２】
2007054110.tif 000004
【図３】
2007054110.tif 000005
【図４】
2007054110.tif 000006
【図５】
2007054110.tif 000007
【図６】
2007054110.tif 000008
【図７】
2007054110.tif 000009
【図８】
2007054110.tif 000010
【図９】
2007054110.tif 000011